(57)【特許請求の範囲】
【請求項１】
釣糸が巻回されるスプールと、スプールを回転自在に支持するリール本体とを備えた魚釣用両軸受型リールにおいて、
リール本体は、スプールを支持する左右のフレームと、各フレームの側部に取り付けられる側板とによって構成され、
前記側板のうち、スプールを回転駆動させる巻取り駆動部を支持する側板は、フレームに対向される面と反対側の外面側からネジ部材が捩じ込まれることによってフレームに締結され、
前記ネジ部材を外部に露出させないようにカバーするカバー部材を、フレーム側から側板に対して捩じ込まれる締結部材によって、リール本体に着脱可能に固定したことを特徴とする魚釣用両軸受型リール。
【請求項２】
釣糸が巻回されるスプールと、スプールを回転自在に支持するリール本体と、リール本体に回転自在に取り付けられたハンドルとを備えた魚釣用両軸受型リールにおいて、
前記リール本体は、スプールを支持する左右のフレームと、各フレームの側部に取り付けられる側板とによって構成され、
前記フレームと前記側板とによって形成される収容空間内には、前記ハンドルの回転力を前記スプールに伝達する駆動機構が設けられ、
前記フレームには、これを貫通するように延びて前記収容空間に達する貫通部材が設けられ、
前記貫通部材には、収容空間の内外を連通させて収容空間内に溜まった水を外部に抜くための水抜き部が形成されていることを特徴とする魚釣用両軸受型リール。
【発明の詳細な説明】
【０００１】
【発明の属する技術分野】
本発明は魚釣用両軸受型リールに関する。
【０００２】
【従来の技術】
一般に、魚釣用両軸受型リールは、釣糸が巻回されるスプールと、スプールを回転自在に支持するリール本体とからなる。リール本体は、スプールを支持する左右のフレームと、各フレームの側部に取り付けられる側板とによって構成される。
【０００３】
スプールを回転駆動させる巻取り駆動部を支持する一方の側板（以下、支持側板という。）は、巻取り動作に支障をきたさないよう、対応するフレームに強固に取り付けられていなければならない。そのため、従来から、支持側板はフレームに対し複数のネジによって締め付け固定されている。
【０００４】
また、従来、リールを違和感なく把持でき、外観を見栄え良くするため、あるいは、ゴミや魚のヌメリ等の付着を防止して耐触性の向上を図るため、支持側板の締め付け固定用のネジを外部に露出させないようにしている。例えば、実開平５−６０２７１号公報では、リール本体からスプールを抜き取った状態で露出するフレームの内面側から支持側板に向けてネジを捩じ込み、これによって、ネジを外部に露出させることなく支持側板をフレームに対して固定している。
【０００５】
また、従来、側板内の空間に溜まった水を外部に抜くことができるように、リール本体の壁面（例えば、側板またはフレームの下部或いは下方側壁面）に水抜き孔を設けることが行なわれている（実開昭５７−１４４４７３号公報等参照）。
【０００６】
【発明が解決しようとする課題】
しかし、実開平５−６０２７１号公報に開示された技術では、以下のような問題が生じる。すなわち、支持側板が固定されるフレームの内面側には、スプールに回転駆動力を伝達する駆動力伝達機構等が配置されているため、支持側板を締め付け固定するためのネジを捩じ込むスペースがかなり制約される。つまり、ネジの取付け（締め付け）位置が特定されて自由度がなくなってしまうとともに、捩じ込めるネジの数も限られてしまう。したがって、支持側板をバランス良くフレームに固定することができなくなる可能性があり、固定不良が懸念される。支持側板の締め付け固定力が十分に得られないと、強負荷巻取り時や長時間の使用あるいは落下や外力を受けた場合等において、ハウジングの組み付け精度を高く維持することができなくなり、巻取り不能や、耐久性の劣化等の不具合が発生する。また、フレームの内面側に配置される駆動力伝達機構等が障害となってネジの捩じ込み操作がやりにくくなる。固定強度を上げるためにネジの長さを長くした場合にも、締め付け作業性が悪くなるといった不具合が生じる。
【０００７】
一方、実開昭５７−１４４４７３号公報等に開示された技術では、以下のような問題が生じる。すなわち、側板またはフレームに水抜き孔を直接に形成すると、外観上、見栄えが悪くなるとともに、フレームや側板の強度が低下してしまう。また、孔開け加工を別途行なう必要があるため、製造工程が増え、結果的に製造コストが高くなってしまう。また、水抜き孔から側板内の空間にごみが入り易く、側板内に設けられたギア等に悪影響を及ぼす不具合も指摘されている。
【０００８】
本発明は前記事情に着目してなされたものであり、その目的とするところは、第１に、支持側板をフレームに対しネジにより強固に取り付け固定することができるとともに、前記ネジを外部に露出させないで済む魚釣用両軸受型リールを提供することにある。また、第２に、外観や強度等を損なうことなく、側板内に溜まった水を外部に抜くことができる低コストな魚釣用両軸受型リールを提供することにある。
【０００９】
【課題を解決するための手段】
前記課題を解決するために、本発明は、釣糸が巻回されるスプールと、スプールを回転自在に支持するリール本体とを備えた魚釣用両軸受型リールにおいて、リール本体は、スプールを支持する左右のフレームと、各フレームの側部に取り付けられる側板とによって構成され、前記側板のうち、スプールを回転駆動させる巻取り駆動部を支持する側板は、フレームに対向される面と反対側の外面側からネジ部材が捩じ込まれることによってフレームに締結され、前記ネジ部材を外部に露出させないようにカバーするカバー部材を、フレーム側から側板に対して捩じ込まれる締結部材によって、リール本体に着脱可能に固定したことを特徴とする。
【００１０】
また、釣糸が巻回されるスプールと、スプールを回転自在に支持するリール本体と、リール本体に回転自在に取り付けられたハンドルとを備えた魚釣用両軸受型リールにおいて、前記リール本体は、スプールを支持する左右のフレームと、各フレームの側部に取り付けられる側板とによって構成され、前記フレームと前記側板とによって形成される収容空間内には、前記ハンドルの回転力を前記スプールに伝達する駆動機構が設けられ、前記フレームには、これを貫通するように延びて前記収容空間に達する貫通部材が設けられ、前記貫通部材には、収容空間の内外を連通させて収容空間内に溜まった水を外部に抜くための水抜き部が形成されていることを特徴とする魚釣用両軸受型リールが提供される。
【００１１】
【発明の実施の形態】
以下、図面を参照しつつ本発明の実施形態について説明する。
【００１２】
図１〜図７は本発明の第１の実施形態を示している。図１および図２に示すように、本実施形態に係る魚釣用両軸受型リール１は、釣糸が巻回されるスプール３と、スプール３を回転自在に支持するリール本体とからなる。リール本体は、スプール３を支持する左右のフレーム２ａ，２ｂと、各フレーム２ａ，２ｂの側部に取り付けられる側板１ａ，１ｂとによって構成される。また、図中右側に位置する側板（以下、支持側板という。）１ｂは、スプール３を回転駆動させる巻取り駆動部（後述する）３０を支持している。
【００１３】
左右のフレーム２ａ，２ｂ間にはスプール軸５が軸受１０，１０を介して回転可能に支持されており、また、スプール軸５には釣糸が巻回されるスプール３が一体で固定されている。右フレーム２ｂから突出するスプール軸５の端部には、スプール軸５の軸方向に沿って移動可能なピニオンギア６が取り付けられている。このピニオンギア６は、切換手段によって、スプール軸５と係合してスプール軸５と一体に回転する係合位置と、スプール軸５との係合状態が解除される非係合位置との間で移動される。また、ピニオンギア６には駆動歯車７が噛合しており、駆動歯車７には巻取り駆動部３０を構成するハンドル軸８が取り付けられている。さらに、ハンドル軸８の端部には、ハンドル軸８とともに巻き取り駆動部３０を構成するハンドル１２が取り付けられている。したがって、ハンドル１２を回転操作すると、駆動歯車７とピニオンギア６とを介して、スプール軸５が回転駆動され、それに伴ってスプール３が回転される。
【００１４】
また、左右のフレーム２ａ，２ｂ間には、スプール３の釣糸繰出し方向側に、レベルワインド装置１５が配されている。このレベルワインド装置１５は、外周面にトラバース溝が形成され且つ端部に駆動歯車７と噛合する歯車１１が取り付けられたトラバース軸（図示せず）と、このトラバース軸を収容する筒体１７と、前記トラバース溝と係合してトラバース軸の回転により筒体１７に沿って左右に摺動する係合子１８とを有しており、係合子１８に形成された孔１８ａを介してスプール３に巻回された釣糸を案内する。したがって、ハンドル１２を回転操作すれば、スプール３の回転および係合子１８の左右の摺動により、スプール３には釣糸が均等に巻回される。
【００１５】
図２に詳細に示されるように、支持側板１ｂは、その周縁部に捩じ込まれる複数のネジ４０によって、右フレーム２ｂに締め付け固定されている。この場合、ネジ４０は、支持側板１ｂの外面（フレーム２ｂと対向される面（内面）と反対側の面）側から支持側板１ｂの周縁部の複数個所に形成された取り付け穴４２に挿入され、右フレーム２ｂの周縁部の複数個所に対応して形成されたネジ穴４１に捩じ込まれる。
【００１６】
支持側板１ｂの外面に露出するネジ４０をカバーして、外観上、ネジ４０を外部に露出させないように、ネジ４０が位置する支持側板１ｂの周縁を覆うようにリング状のカバー部材３２ｂが支持側板１ｂに取り付け固定されている（図１，２，６参照）。この場合、カバー部材３２ｂは、２つの締結部材５０，６０によって支持側板１ｂに固定される。
【００１７】
図２〜図４に示すように、第１の締結部材５０は、左フレーム２ａと右フレーム２ｂとに跨って延びている。具体的には、第１の締結部材５０は、各フレーム２ａ，２ｂと支持側板１ｂとに形成された貫通穴９，５６，５７，５８を貫通するように延びる長尺なシャフト５３からなる。シャフト５３の一端には締結状態で貫通穴５８に位置される頭部５４が形成され、シャフト５３の他端には締結状態でカバー部材３２ｂのネジ穴５５に螺合されるネジ部５２が形成されている。シャフト５３の他端部に形成された溝５９には、フレーム２ａ，２ｂからの締結部材５０の脱落を防止するためのリテーナ５１が装着されている。したがって、頭部５４を保持しつつカバー部材３２ｂを支持側板１ｂに対して回転させてカバー部材３２ｂ（ネジ穴５５）とネジ部５２との螺合を解除した状態（カバー部材３２ｂを取り外した状態）では、シャフト５３（締結部材５０）は、リテーナ５１の作用により、貫通穴５６，５７間で軸方向に移動できるが、フレーム２ａ，２ｂから脱落することはない。
【００１８】
また、図３および図５に示すように、第２の締結部材６０は、フレーム２ｂと支持側板１ｂとに形成された貫通穴６５，６６，６７を貫通するように延びるネジ部材（貫通部材）として形成されている。締結部材６０の一端には、締結状態で貫通穴６７に位置される頭部６１が形成されている。また、締結部材６０の他端には、貫通穴６６を介してカバー部材３２ｂのネジ穴６８に螺合されるネジ部６３が形成されている。締結部材６０の他端部に形成された溝６９には、フレーム２ｂおよび支持側板１ｂからの締結部材６０の脱落を防止するためのリテーナ６２が装着されている。したがって、頭部６１を保持しつつカバー部材３２ｂを支持側板１ｂに対して回転させてカバー部材３２ｂ（ネジ穴６８）とネジ部６３との螺合を解除した状態（カバー部材３２ｂを取り外した状態）では、締結部材６０は、リテーナ６２の作用により、貫通穴６５，６７間で軸方向に移動できるが、フレーム２ｂおよび支持側板１ｂから脱落することはない。
【００１９】
また、第２の締結部材６０の頭部６１には、例えばマイナスドライバが差し込まれるネジ溝７２がスリット状に形成されている。このネジ溝７２は、締結状態でその溝底７２ａが支持側板１ｂとフレーム２ｂとの間に形成された収容空間Ｓ内に位置する深さまで形成されており、ピニオンギア６や駆動歯車７等の駆動機構が収容される収容空間Ｓを外部に連通させて、収容空間Ｓ内に溜まった水を図中矢印で示すように外部に抜くための水抜き穴として機能するようになっている。
【００２０】
なお、表面の凹凸をなくしてリールを違和感なく把持できるように、左側に位置する側板１ａの周縁部にも、化粧板としてのカバー部材３２ａが取り付けられている（図１，２，７参照）。この場合、カバー部材３２ａは、その内周面に形成されたネジ部４３が左フレーム２ａの外周面に捩じ込まれることによって固定される。
【００２１】
以上説明したように、本実施形態の魚釣用両軸受型リール１では、駆動力伝達機構等が配置されてスペース的に制約されるフレーム２ｂの内面側からネジ４０を捩じ込んで支持側板１ｂをフレーム２ｂに固定するのではなく、スペース的に何ら制約されることのない支持側板１ｂの外面側からネジ４０を捩じ込んで支持側板１ｂをフレーム２ｂに固定している。したがって、ネジ４０の取付け（締め付け）位置を自由に選択でき、捩じ込めるネジ４０の数も制限されない。その結果、スプール３を回転駆動させる巻取り駆動部３０を支持する支持側板１ｂを、巻取り動作に支障をきたさないよう、フレーム２ｂにバランス良く強固に取り付けることができる。また、支持側板１ｂの締め付け固定力を十分大きくすることができるため、強負荷巻取り時や長時間の使用あるいは落下や外力を受けた場合等においても、ハウジングの組み付け精度を高く維持することができ、巻取り不能や、耐久性の劣化等の不具合が発生することがない。また、ネジ４０の捩じ込み操作も容易となり、締め付け作業性が良好となる。
【００２２】
また、本実施形態の魚釣用両軸受型リール１では、ネジ４０が位置する支持側板１ｂの周縁を覆うようにリング状のカバー部材３２ｂが支持側板１ｂに着脱自在に取り付けられている。したがって、ネジ４０を外部に露出させないで済む。その結果、リール１を違和感なく把持でき、外観を見栄え良くできるとともに、ゴミや魚のヌメリ等の付着が防止されて耐触性が向上される。
【００２３】
また、本実施形態の魚釣用両軸受型リール１において、フレーム２ｂには、これを貫通するように延びて収容空間Ｓに達する貫通部材としての第２の締結部材６０が設けられ、この締結部材６０には、収容空間Ｓの内外を連通させて収容空間Ｓ内に溜まった水を外部に抜くための水抜き穴（ネジ溝）７２が形成されている。すなわち、本実施形態においては、フレーム２ｂに水抜き穴を直接に形成していない。したがって、すっきりとした見栄えの良好な外観を得ることができる。また、フレーム２ｂには締結部材６０が貫通するための貫通穴６７が形成されているが、この貫通穴６７には締結部材６０が常時配置されているため、フレーム２ｂの強度低下を防止できるとともに、収容空間Ｓ内へのごみの侵入も防止できる。したがって、収容空間Ｓ内に設けられた駆動機構への悪影響を防止し得る。また、水抜き穴のための余分な孔開け加工を行なう必要がないため、製造コストを低く抑えることができる。
【００２４】
図８は本発明の第２の実施形態を示している。本実施形態の魚釣用両軸受型リール１Ａでは、カバー部材３２ｂを固定するために、２つの締結部材５０，６０が使用されず、カバー部材３２ａの内周面に形成されたネジ部７０が使用される。すなわち、カバー部材３２ａは、そのネジ部７０が右フレーム２ｂの外周面に捩じ込まれることによって固定される。なお、その他の構成は第１の実施形態と同一であるため、同一符号を付してその説明を省略する。
【００２５】
図９〜図１３は本発明の第３の実施形態を示している。なお、本実施形態において、第１の実施形態と同一の構成要素については同一符号を付してその説明を省略する。
【００２６】
図９に示されるように、本実施形態の魚釣用両軸受型リール１Ｂは、ハンドル軸８に回り止め固定されたクラッチ復帰用ギア８２を有している。また、ピニオンギア６は、スプール軸５と一体のピニオン軸５ａに対して回転可能に支持されており、後述するクラッチ機構をＯＮ／ＯＦＦ操作することによって、スプール軸５に係合してスプール軸５と一体的に回転する係合位置と、スプール軸５との係合状態が解除された非係合位置との間を移動することができるようになっている。具体的には、ピニオンギア６に形成された円周溝６ａに係合しているヨーク８７が、クラッチ機構のＯＮ／ＯＦＦ操作に連動して、ピニオン軸５ａに沿って移動することによって、ピニオンギア６を係合位置（釣糸巻取可能状態；クラッチＯＮ）と非係合位置（スプールフリー回転状態；クラッチＯＦＦ）とに移動させることができる。
【００２７】
図１０は、ハンドル１２および右側板１ｂを取り外した状態において、ハンドル１２側から見たクラッチ機構の構成を示している。図示のように、クラッチ機構は、手動でクラッチＯＮ／ＯＦＦ操作することが可能なクラッチレバー８８と、このクラッチレバー８８のＯＮ／ＯＦＦ操作に連動して回動するクラッチプレート８５と、このクラッチプレート８５の回動に連動して移動するヨーク８７と、クラッチＯＮからクラッチＯＦＦに切り換えられた時に、クラッチ復帰用ギヤ８２に係合する復帰用作動片８１とを備えている。
【００２８】
このような回転式クラッチ機構において、クラッチレバー８８を図中実線で示されるＯＮ位置に切換操作すると、クラッチプレート８５がピニオン軸５ａを中心に回動する。この時、ヨーク８７は図示しない付勢バネの付勢力によりガイド軸９５Ａ，９５Ｂに沿ってクラッチプレート８５方向に移動する。これにより、ヨーク８７と円周溝６ａを介して連結するピニオンギヤ６がスプール軸５と係合する。また、このクラッチＯＮ状態からクラッチＯＦＦ状態に切り換える（クラッチレバー８８を図中二点鎖線で示されるＯＦＦ位置に操作する）と、クラッチプレート８５が回動して、ヨーク８７がクラッチプレート８５から離間する方向に押圧移動される。この結果、ピニオンギヤ６とスプール軸５との係合状態が解除される。
【００２９】
クラッチＯＮ／ＯＦＦ操作に際して、クラッチプレート８５をクラッチＯＮ位置およびクラッチＯＦＦ位置にホールドさせるために、クラッチ機構には、ホールドバネ９３が設けられている。このホールドバネ９３は、その一端がクラッチプレート８５の支持片８５ａに支持されており、その他端が右フレーム２ｂのフランジ９０に取り付けられた支持ピン９２に支持されている。
【００３０】
また、復帰用作動片８１は、一方のガイド軸９５Ａを中心に揺動可能に配置されている。また、復帰用作動片８１には、クラッチ復帰用ギヤ８２に係合可能な係合部９６が設けられており、ガイド軸９５Ａを中心に復帰用作動片８１を揺動させることによって、この係合部９６をクラッチ復帰用ギヤ８２に係合させることができるようになっている。
【００３１】
また、クラッチ機構には、復帰用作動片８１の係合部９６をクラッチ復帰用ギヤ８２に係合させる際に、所望の係合力を復帰用作動片８１の係合部９６に与えるための付勢バネ９７が設けられている。この付勢バネ９７は、その一端が復帰用作動片８１に係止され、その他端が右フレーム２ｂのフランジ９０に取り付けられた係止ピン９８に係止されている。そして、この付勢バネ９７によって、復帰用作動片８１は、常時、その係合部９６がクラッチ復帰用ギヤ８２に係合する方向に付勢されている。
【００３２】
図１１に示されるように、ホールドバネ９３を支持する支持ピン９２は、フレーム２ｂを貫通して延びる貫通部材として形成され、ピニオンギア６や駆動歯車７等の駆動機構が収容される収容空間Ｓを横切っている。また、支持ピン９２には、収容空間Ｓの内外を連通させて収容空間Ｓ内に溜まった水を外部に抜くための複数の水抜き溝９１が形成されている。また、このような水抜き溝は、図１２に示されるように、付勢バネ９７を支持する係止ピン９８に設けられていても良い。すなわち、係止ピン９８は、フレーム２ｂを貫通して延びる貫通部材として形成されて収容空間Ｓを横切っている。そして、係止ピン９８には、収容空間Ｓの内外を連通させて収容空間Ｓ内に溜まった水を外部に抜くための複数の水抜き溝９９が形成されている。
【００３３】
また、図９に示されるように、本実施形態の魚釣用両軸受型リール１Ｂでは、左フレーム２ａ側のスプール軸５の端部に、スプール３の過回転を制御することによって釣糸繰出時のバックラッシュを防止するバックラッシュ防止機構７３が設けられている。このバックラッシュ防止機構７３は、図１３に拡大して示されるように、スプール軸５に移動可能に取り付けられた移動体７５を有している。移動体７５は、スプール軸５の外周に移動可能に取り付けられており、スプール軸５の径方向外側に延びるフランジ部７５ｃを有している。フランジ部７５ｃには遠心カラー７６が移動可能に設けられている。この遠心カラー７６は、スプール３のテーパ面３ａに接しており、移動体７５の回転に伴う遠心力によりフランジ部７５ｃに沿って移動することができる。なお、スプール３のテーパ面３ａは、左側板１ａに向かって径方向外側に広がっている。
【００３４】
また、移動体７５は２つの環状部７５ａ，７５ｂを有している。外側の環状部７５ａの内周面と内側の環状部７５ｂの外周面とにはそれぞれ、互いに対向するように磁石７８Ａ，７８Ｂが固着されている。また、スプール軸５の一端部に固定されたリテーナ８０と移動体７５との間には圧縮バネ７７が設けられている。この圧縮バネ７７は、スプール軸５の外周面に巻回され、移動体７５をリテーナ８０から離間させるスプール３側方向に向けて常時付勢している。
【００３５】
また、バックラッシュ防止機構７３は、左側板１ａに固着された環状の導電体７９を有している。この導電体７９は、磁石７８Ａ，７８Ｂ間に形成された環状空間と対向し且つこの環状空間に対して挿脱され得るようにスプール軸５の軸方向に沿って延びている。
【００３６】
このような構成のバックラッシュ防止機構７３では、スプール３が回転すると、移動体７５もスプール３と一体に回転する。したがって、遠心カラー７６に遠心力が作用し、遠心カラー７６は、フランジ部７５ｃに沿って径方向外側に移動し、スプール３のテーパ面３ａに押し付けられる。スプール３の回転速度が所定の大きさに到達するまでの間は、遠心カラー７６に作用する遠心力が弱いため、移動体７５に対する遠心カラー７６の押圧力（遠心カラー７６がテーパ面３ａから受ける抗力）は、圧縮バネ８０の付勢力よりも小さい。したがって、移動体７５は、図１３中に実線で示されるように、スプール軸５に対して軸方向に移動することなく、スプール３停止時と略同様の位置を維持する。つまり、磁石７６Ａ，７８Ｂ間に形成された環状空間内に導電体７９が位置されず、スプール３には磁気に伴う制動力が生じない。
【００３７】
その後、スプール３の回転速度が上昇して遠心カラー７６に作用する遠心力が所定の大きさを超えると、すなわち、移動体７５に対する遠心カラー７６の押圧力（遠心カラー７６がテーパ面３ａから受ける抗力）が圧縮バネ８０の付勢力よりも大きくなると、図１３中に二点鎖線で示されるように、遠心カラー７６がテーパ面３ａに沿って外側に移動するとともに、移動体７５がスプール軸５に沿って左側板１ａ側に移動し始める。この移動によって、導電体７９が磁石７８Ａ，７８Ｂ間に形成された環状空間（磁界）内に挿入されると、磁石７８Ａ，７８Ｂを有する移動体７５は、その挿入量（移動量）と回転速度とに応じた力を磁界から受ける。したがって、移動体７５と一体で回転するスプール３にもこの力に伴う制動力が作用する。つまり、スプール３にはその回転速度に応じた制動力が作用し、その結果、スプール３の過回転が防止され、バックラッシュ現象が抑止される。
【００３８】
以上説明したように、本実施形態の魚釣用両軸受型リール１Ｂにおいても、スペース的に何ら制約されることのない支持側板１ｂの外面側からネジ４０が捩じ込まれて支持側板１ｂがフレーム２ｂに固定されるとともに、ネジ４０が位置する支持側板１ｂの周縁を覆うようにリング状のカバー部材３２ｂが支持側板１ｂに着脱自在に取り付けられている。また、フレーム２ｂには、これを貫通するように延びて収容空間Ｓに達する貫通部材としての支持ピン９２または係止ピン９８が設けられ、これらピン９２，９８には、収容空間Ｓの内外を連通させて収容空間Ｓ内に溜まった水を外部に抜くための水抜き溝９１，９９が形成されている。したがって、第１の実施形態と同様の作用効果を得ることができる。
【００３９】
【発明の効果】
以上説明したように、本発明の魚釣用両軸受型リールによれば、側板をフレームに対しネジにより強固に取り付け固定することができるとともに、ネジを外部に露出させないで済む。また、外観や強度等を損なうことなく且つ製造コストをアップさせることなく、側板内に溜まった水を外部に抜くことができる。
【図面の簡単な説明】
【図１】本発明の第１の実施形態に係る魚釣用両軸受型リールの一部断面を付した正面図である。
【図２】本発明の第１の実施形態に係る魚釣用両軸受型リールの要部を示す一部断面を付した正面図である。
【図３】図２のＡ−Ａ線に沿う断面図である。
【図４】図２のＤ−Ｄ線に沿う断面図である。
【図５】図３のＥ−Ｅ線に沿う断面図である。
【図６】図２のＢ方向矢視図である。
【図７】図２のＣ方向矢視図である。
【図８】本発明の第２の実施形態に係る魚釣用両軸受型リールの要部を示す一部断面を付した正面図である。
【図９】本発明の第３の実施形態に係る魚釣用両軸受型リールの断面図である。
【図１０】図９のＦ−Ｆ線に沿う断面図である。
【図１１】ホールドバネの支持部付近の断面図である。
【図１２】付勢バネの支持部付近の断面図である。
【図１３】バックラッシュ防止機構の拡大断面図である。
【符号の説明】
１，１Ａ…魚釣用両軸受型リール
１ａ，１ｂ…側板
２ａ，２ｂ…フレーム
３…スプール
３０…巻取り駆動部
３２ａ，３２ｂ…カバー部材
４０…ネジ部材
【図１】
0003542736.tif 000002
【図２】
0003542736.tif 000003
【図３】
0003542736.tif 000004
【図４】
0003542736.tif 000005
【図５】
0003542736.tif 000006
【図６】
0003542736.tif 000007
【図７】
0003542736.tif 000008
【図８】
0003542736.tif 000009
【図９】
0003542736.tif 000010
【図１０】
0003542736.tif 000011
【図１１】
0003542736.tif 000012
【図１２】
0003542736.tif 000013
【図１３】
0003542736.tif 000014